(57)【特許請求の範囲】
【請求項１】
開渠型水路の一方の側壁上端から他方の側壁上端までを覆う金属板製の溝蓋は、その中央が長手方向に渡って高くなるよう形成されており、
その一方の斜面には、斜面を正面視して右辺下辺左辺の３方がＵ字状に切開され上辺が表方向に折曲げ起こされた状態の小鱗片が庇付開口として、斜面長手方向に間隔を離間して多数配されており、
多数の貫通小孔が少なくとも他方の斜面に間隔を空けて配されていること、を特徴とする溝蓋。
【請求項２】
中央長手方向の稜線の左右にそれぞれ斜面が備わっている横断面が山型の突出部を備えていることを特徴とする、請求項１に記載の溝蓋。
【請求項３】
開渠型水路の一方の側壁上端から他方の側壁上端までを覆う金属板製の溝蓋は、その円弧状の溝蓋横断面の中央長手方向が高くなるよう円弧が形成されており、
その円弧の一方の湾曲斜面には、斜面を正面視して右辺下辺左辺の３方がＵ字状に切開され上辺が表方向に折曲げ起こされた状態の小鱗片が庇付開口としてその斜面長手方向に間隔を離間して多数配されており、
多数の貫通小孔が少なくとも反対側の湾曲斜面に間隔を空けて配されていること、を特徴とする溝蓋。
【請求項４】
溝蓋の長手方向の両端は、水路上端部外側壁から水路上端部内側壁の位置に向かって、間隔を空けて複数箇所の切れ込みからなる折曲フラップが配されており、これらのフラップは水路上端部内側壁の位置で水路側壁上端に載置されるよう水平方向に谷折された水平フラップと、水路側壁上端内壁に沿うように垂直方向に山折された垂直フラップとを、互い違いに備えていること、を特徴とする、請求項１から請求項３のいずれか１項に記載の溝蓋。
【発明の詳細な説明】
【技術分野】
【０００１】
本発明は、Ｕ字状の側溝等の水路の上に載置する側溝蓋に関する。とりわけ、斜面や法面の中腹を横断する小段に配置された側溝上に載置する際に好適な側溝蓋に関する。
【背景技術】
【０００２】
自動車道路や鉄道路線などでは、自然の地形のまま沿わせると、谷や丘陵地のたびに上下に激しく波打ってしまうことから、走行に適したゆるやかな斜度になるように低い場所では築堤して、盛土に形成せしめた上に路線を形成する場面が多くみられる。
【０００３】
こうした盛土は、その周囲を崩落しないよう、安定勾配となるようあらかじめ角度をつけて傾斜させた法面を備える形で構築している。つまり断面でみれば、山の裾野が斜面として左右に拡がっている。もっとも、盛土の場合は、山の高さにあわせて安定な法面の斜面長は決まってくるものであって、さらに法面を上から下までの一段で形成するのではなく、法面の斜面の途中に小段を設けて多段に形成するようにしている場面も多くみられる。さて、この斜面の中腹に細長い小段（犬走り）を設けるのは、このように法面の安定度を確保することを考慮しているからであり、さらに、中腹の犬走りの箇所には長手方向にわたって側溝を横たわすように配して排水していることも多い。
【０００４】
そして、盛土の斜面を安定に保持するためには、盛土が崩落しないよう雨水の排水も適切になされる必要がある。そこで盛土の一番上には道路や鉄道が走っているところ、その道路脇に沿って側溝が配されている。その側溝からの排水は道路脇に間隔を置いて設けられた集水桝へと集められると、そこから縦側溝を通って斜面を下り、盛土の下へと排出されることとなる。さらに、その法面の途中に設けられた小段でも、上段の斜面を下る雨水を小段に長手に設けられた側溝で受けとめ、縦側溝へと導水するようにしている。
【０００５】
さて、こうした法面は、芝や草が植栽されていることがあるほか、周囲も含めて樹木が繁茂している場面も多くみられる。すると、落葉などによる堆積物が雨水と共に側溝へと流れ込んでくることも多い。しかし、これらが流入すると側溝が閉塞しやすいこととなる。
【０００６】
そこで、側溝が閉塞しないように、一般には、側溝用ブロックの両側壁上面を跨ぐようにコンクリート製の側溝蓋ブロックを載せ置いたりすることもできるが、蓋をしていわば暗渠のようにしてしまうことに等しいので、こうした方法では雨水をそもそも側溝内へ十分に取り入れることができなくなる。しかしこのような単に蓋をする方法では対応できないといえる。
【０００７】
そこで、雨水の流入を確保して視認性を確保するために、コンクリート格子状の鉄製のグレーチング蓋を載せ置かれている場所も多い。しかしながら、一般にこうした鉄製のグレーチングは鋳造で製造されるもののであって、重量はそれなりに重く、また価格はコンクリートブロックに比して格段に高価であるので、そもそも安易には選択しづらい。さらに、車道の路肩とちがって、車両が上を走行して側溝蓋が飛ばされることもない場所ではそうした重量による押さえ込みまでは必要がなく、コストを下げる要請が強い。また、法面のような人の視線にさらされる必要のない場所で、鋳造によるグレーチングはオーバースペックといえる。
【０００８】
加えて、グレーチングの蓋は一般的に上平面に設置されるものであって、格子の上に平たい落ち葉が堆積してしまうと、一枚一枚の落葉で一気に蓋がされてしまうようになる。すると、非常に内部に通水しにくいものとなるので、山間部などには適用しづらいものとなっている。とりわけ、法面の中腹などの斜面の側溝をメンテナンスする人手を考えると、こうした閉塞によるメンテナンスの頻度はできるかぎり下げておきたいことから、採用しづらいものである。
【０００９】
そこで、排水溝の両側壁上面に跨がって載置するグレーチングであって、排水溝の流れ方向に山部と谷部とが交互に連続して折曲形成された合成樹脂製の基板と、この基板の裏面に排水溝の側壁と接触する位置に位置ずれ防止用の突片が設けられたことを特徴とするグレーチングなどが考案されている（たとえば特許文献１参照。）。
【先行技術文献】
【特許文献】
【００１０】
【特許文献１】特開２００６−９５５８号公報
【発明の概要】
【発明が解決しようとする課題】
【００１１】
もっとも、法面の中腹に設けられる犬走りのように、長手に横たわった側溝の場合、その上平面を単純なグレーチングで覆ったとしても、十分とはいえないのは上述のとおりである。水路の上平面は、斜面中腹をほぼ水平に横切ることになるので、斜面を滑り落ちてきた大量の落ち葉が上に堆積してしまうと、簡単に閉塞されてしまうからである。そして、水路内に雨水が流れることはほぼなくなり、雨水はそのまま下段の斜面へと流れ落ちてしまうこととなる。そして、特許文献１に記載のような構造の、排水溝の流れ方向に山部と谷部を設ける方法では、やはり十分とはえいない。なぜなら、犬走りの側溝に押し寄せる雨水は、側溝の流れと直交するように溝の横から入りこんでくるものであって、流れ方向での工夫はこういう場合にはほとんど奏功しないからである。単に上平面に落ち葉が押し寄せて覆ってしまうこととなるので、意味をなさなず十分な工夫とはいえなかった。
【００１２】
さらに、近時のゲリラ豪雨のような局所的短時間集中豪雨は、１００ｍｍ／ｈ程度の大量な降雨であるから、法面を崩落させないためには、斜面中腹の犬走りの小段に長手にわたって配された側溝の排水の果たす役割は大きい。しかも豪雨では大量に落ち葉が押し寄せるなどするので、閉塞しやすいものとなる。すると、グレーチング上の堆積物の頻繁なメンテナンスが必要となるので、通常のグレーチングはメンテナンス頻度の点でも適用しづらいものといえる。
【００１３】
また、鋳造の格子状のグレーチングは一般に重量が重く、搬送も容易ではないが、車両が上を走行して弾き飛ばす可能性がない場面では、より軽量なものが望ましい。また、鋳造は、鋳型をしつらえて溶かすため製造にも手間がかかるので、簡易な構造のものも望まれているし、コストも押しあがる要因となっている。
【００１４】
そこで、本発明が解決しようとする課題は、斜面の中腹に斜面と横断するように設けられた側溝などの水路に好適な、落ち葉等の堆積物で閉塞させることなく雨水を側溝内に排水できる側溝の両側壁の上部に載置する、軽量で丈夫でかつ製造の容易な構造の溝蓋を提供することである。
【課題を解決するための手段】
【００１５】
本発明の課題を解決するための第１の手段は、開渠型水路の一方の側壁上端から他方の側壁上端までを覆う金属板製の溝蓋は、その中央が長手方向に渡って高くなるよう形成されており、その一方の斜面には、斜面を正面視して右辺下辺左辺の３方がＵ字状に切開され上辺が表方向に折曲げ起こされた状態の小鱗片が、斜面長手方向に間隔を離間して多数配されており、多数の貫通小孔が少なくとも他方の斜面に間隔を空けて配されていること、を特徴とする溝蓋である。
【００１６】
中央が長手方向に渡って高くなるように形成されるとは、山形の稜線が長手方向に形成されてその稜線の左右に下り斜面がそれぞれ形成されている場合と、中央が高くなるように断面が円弧状に湾曲しており中央長手方向から左右下端に向かって湾曲した斜面がそれぞれ形成されている場合とがある。
【００１７】
そこで、本発明の課題を解決するための第２の手段は、中央長手方向の稜線の左右にそれぞれ斜面が備わっている横断面が山型の突出部を備えていることを特徴とする、第１の手段に記載の溝蓋である。
【００１８】
本発明の課題を解決するための第３の手段は、開渠型水路の一方の側壁上端から他方の側壁上端までを覆う金属板製の溝蓋は、その円弧状の溝蓋横断面の中央長手方向が高くなるよう円弧が形成されており、その円弧の一方の湾曲斜面には、斜面を正面視して右辺下辺左辺の３方がＵ字状に切開され上辺が表方向に折曲げ起こされた状態の小鱗片がその斜面長手方向に間隔を離間して多数配されており、多数の貫通小孔が少なくとも反対側の湾曲斜面に間隔を空けて配されていること、を特徴とする溝蓋である。
【００１９】
本発明の課題を解決するための第４の手段は、溝蓋の長手方向の両端は、水路上端部外側壁から水路上端部内側壁の位置に向かって、間隔を空けて複数箇所の切れ込みからなる折曲フラップが配されており、これらのフラップは水路上端部内側壁の位置で水路側壁上端に載置されるよう水平方向に谷折された水平フラップと、水路側壁上端内壁に沿うように垂直方向に山折された垂直フラップとを、互い違いに備えていること、を特徴とする、第１から第３のいずれか１の手段に記載の溝蓋である。
【発明の効果】
【００２０】
本発明の溝蓋を開渠型水路の上に載置すると、溝蓋の一方の斜面側には多数の小鱗片が、斜面から外方向、表方向に持ち上がるようにしていることで、小鱗片の下側の斜面には、いわば小鱗片による庇のついた開口が形成されることとなる。すると、外方向に突き出した小鱗片が落ち葉などをひっかけて庇下の開口を閉塞しにくくなるので、立体的な開口となって、開口部から水路内部へと雨水を適切に導水しうる空間が保持されて排水能力が維持できる。そこで、水路の周辺は、雨水で溢れにくくなる。また、落ち葉を留めたままでも排水能力を一定程度保持しているので、従来の一般的な格子状のグレーチング等に比して、メンテナンスの頻度を下げることができる。
【００２１】
また、溝蓋が中央の高い斜面になっていることから、小鱗片のある斜面に大量の雨水が流入するとき、落ち葉などの堆積物が庇状の小鱗片に引っ掛かり留め置かれるので、斜面に流入してきた大量の雨水は、庇の下の開口が立体的に確保されて水路へ導水されているが、さらにそれに加えて、落ち葉が留め置かれるので、流入した雨水のみが上方の貫通小孔からも水路へと導水されることとなる。さらに、小鱗片に落ち葉等が捕捉されるので、雨水のみが溝蓋中央を乗り越えるものの、雨水は反対側の斜面を下るときに貫通小孔から水路内へ滴下するように導水され、排水されることとなる。このように大量の雨水が流入してきても、溝蓋の全体が落ち葉に閉塞されにくく、平板な従来の溝蓋と比して、適切に雨水を排水しうることとなる。
【００２２】
さらに、法面の中腹を横断する犬走りの小段に設けられた水路（たとえばＵ型側溝。）の上段側から大量な雨水が流れ込んでくるときには、斜面を下る雨水が溝蓋の一方側面から押し寄せることとなる。このとき、側溝の上段側に小鱗片のある庇つき開口の斜面を向けて本発明の溝蓋を設置していると、中央が高くなった溝蓋であることから、その高さの分だけ、雨水を溝蓋の一方側にある程度溜めおくようにしながら、雨水を時間をかけて水路内に排水していくことができる。さらに、下段側の小鱗片に落ち葉等が捕捉され、雨水のみが上方の貫通小孔から内部水路へと排水されるので、排水能力が十分に確保される。さらに、中央を越えて反対斜面に流れた雨水も、反対斜面側の貫通小孔から水路へと排水されるので、溝蓋の半分以上を有効に閉塞させることなく排水に利用できる。そこで、溝蓋から水路に排水される場合、下流側の法面に上流の雨水が流入して法面の崩落を促すことを避けることができる。
【００２３】
また、本発明の溝蓋は、その長手方向両端に、間隔を置いて水路側壁の厚みに相当する長さの切り込みを有しており、この切り込み間の板を谷折りまたは山折りに折曲して形成した折曲フラップを多数備えているところ、水路側壁内面に面するように嵌まり込む下向きに折曲した山折の垂直フラップと、水路の側壁上端と接するに載置される上向きに折曲した谷折の水平フラップとが繰り返されている。すると、この溝蓋は、水路側壁上端に載置されるのみならず、水路の側壁の内面に対向する垂直フラップによって、水路から左右に溝蓋が飛ばされにくくなっている。このように流されずに嵌まり込むことができるので、雨水が大量に流入してきて、立体的な庇下の開口をはじめ一方斜面に雨水が流入してきても、雨水の圧力が溝蓋が流されてしまうことがなく、溝蓋を左右にずらすことなく、水路上に載置しつづけることができる。したがって、大量の雨水の流入時にも溝蓋がながされることなく、機能しうる。
【００２４】
そして、垂直な山折フラップも水平な谷折フラップも一枚の金属板の周囲に切れ込みをいれて折り曲げるだけで得ることができるので、非常に加工が簡易で、鋳造型枠などを要しない単純な構造をしている。そこで、コストも低く、製造設備への投資負荷が低いので、小ロット生産などにも導入しやすくなるなど、バリエーション生産にも適した構造となっている。
【００２５】
なお、第３の手段のように、断面が円弧状で、ゆるやかな半円筒状の溝蓋とすると、下段側に位置した小鱗片の庇つきの開口は、ドームの下方の斜面は角度が急なので、庇を水平になる程度まで引き起こした場合には、その開口具合が大きくなる。そこで、突き出した庇の周囲が大きくスペースが空き、大きな開口が得られる。また小鱗片が下段と中段とで開口に対する庇の突き出す角度が変わるので、開口しすぎて閉塞するといった事態にも陥りにくく、一定の水路への排水が確保しやすくなる。さらに下段側の斜面の立ちあがりが、山形の一定の斜面よりも急なので、落ち葉等の堆積物を溜め込む引っ掛かりともなりうる。
【図面の簡単な説明】
【００２６】
【図１】第１の実施の形態の溝蓋の平面側からの斜視図である。
【図２】第１の実施の形態の溝蓋の底面側からの斜視図である。
【図３】第１の実施の形態の溝蓋を、上流側からみた正面図である。
【図４】第１の実施の形態の溝蓋を長手方向から側面視した図である。
【図５】第１の実施の形態の溝蓋の（ａ）Ａ−Ａ断面図、（ｂ）Ｂ−Ｂ断面図である。
【図６】溝蓋に斜面からの雨水流入の様子を示す図。図（ａ）は平常時、（ｂ）は降雨時、（ｃ）は豪雨時の大量な雨水が流入する様子である。
【図７】第１の実施の形態の溝蓋を法面の小段の側溝に設置した状態を示す図である。
【図８】法面に配される縦側溝と法面の途中の小段（犬走り）とそこに側溝が設置されている様子を示す図である。
【図９】溝蓋へと折曲加工する前の平板な金属板に小孔等を型抜きで打ち抜いた後の状態を示す図である。
【発明を実施するための形態】
【００２７】
本発明の実施の形態について、図面を参照しつつ以下適宜説明する。なお、以下は中央長手方向に山形の稜線がある場合の溝蓋を例に説明しているが、中央長手方向を山形に高くなるよう形成するかわりに、中央長手方向が高くなるように半円筒状に形成させる場合についても、湾曲斜面というだけであって、同様に説明でき、左右の湾曲斜面上にそれぞれ貫通小孔あるいは、小鱗片の庇付開口を設けていく点は共通している。また、半円弧の湾曲も、鈑金加工で型抜きする際に同時に半円筒状に成形することなどで得ることができる。
【００２８】
さて、まず、前提として、本発明の溝蓋が適用される開渠型水路とは、底面と左右の側壁からなる上方が開け放たれた水路である。一般的な断面Ｕ型のコンクリートブロック製側溝などがこうした水路の好適な例にあげられる。そして、溝蓋は、この水路の左右の側壁上端の間に渡しこんだものであって、左右側壁上端に載せ置かれるものであって、溝蓋は、水路長手方向に何枚も載置していくこともできる。
【００２９】
次に、本発明の溝蓋に用いる金属板は、３ｍｍ未満の薄板から３〜６ｍｍ未満の中板程度の板厚の金属製の板材であればよく、その材質としては、ステンレス、耐食性のある鋼、アルミニウムもしくはその合金などが好適に適用しうる。ある程度の強度と耐久性を備える一方で、加工性及び搬送や設置等の作業性がよいことを考えると、軽量な薄板が好適といえる。そして、本発明の溝蓋は、これらの平板状の板材を適宜の大きさに切り出し、小孔や切れ込みを型抜きや切断で付与した後、鈑金加工で曲げ加工を施して、小鱗片の庇付きの開口や、水路側壁内面に対向するように水路に差しこまれる山折の垂直フラップと、溝蓋を水路側壁上端に載置ための谷折の水平フラップを折り曲げ加工して所望の溝蓋形状を得ることができるものである。
【００３０】
そして、貫通小孔は、パンチングメタルのように、型抜きされるなどの金属製の板材を打ち抜くことで平板材上に開口を形成することができる。あらかじめ板材の大きさを見込んで打ち抜き型を用意しておき、金属板を打ち抜くことで、大量に製造することができる。また、小鱗片側のＵ字状の切開部も、コの字状やＵ字状に金属板を型抜きで打ち抜いて製造することができる。小鱗片の切開部は、その後、切開部の根元を折り曲げて小鱗片を引き起こして、庇付きの開口とすることができる。また、溝蓋の長手方向両端にも、間隔を空けて水路の側壁の厚みの幅程度の長さ分を短手方向に端から切れこませて、山折り、谷折りに折曲可能な垂直フラップ（山折フラップ）と水平フラップ（谷折フラップ）を形成可能としている。この切れ込みも、型による打ち抜きで形成してもよい。
【００３１】
また、貫通小孔は、溝蓋の少なくとも一方の斜面に多数開口しているが、他の斜面の上方にも開口があってもよい。小鱗片の庇がついた開口は、斜面一方の中腹から下方にかけて設けられ、斜面上方と反対側の斜面は、パンチングされた貫通小孔であってもよい。
【実施例１】
【００３２】
本発明の実施の形態として図１に、中央長手方向が山形に高くなった溝蓋（１）を示す。図２はこの溝蓋（１）を裏面側から示したものである。この溝蓋（１）は、図８に示すような法面（１９）の途中の小段の犬走り（２０）に設置される法面の途中を横断するＵ型側溝（１３）に適用されるものである。図７には、このＵ型側溝（１３）に溝蓋（１）を設置する様子を示す。
【００３３】
なお、法面（２０）は、傾斜面を上から下まで１つの斜面で形成すると、急斜面であり、安全上も、メンテナンス上も利用しづらいものとなる。そこで、５ｍ毎に１段、５０〜１５０ｃｍ程度の幅の小段（犬走り）（２０）が設けられている。この小段には排水溝の側溝が必要に応じて設けられている。こうした小段がなければ、図８に示す縦排水路の水流が急な流れで一気に落下しすぎることもなる。流速が上がりすぎると差し障る。そこで、一番上の道路面からの雨水を縦排水路で排出することを考えると、途中に小段を設けて流速を落とし緩和することは必要であり、犬走りに沿って埋設されるＵ型溝も雨水を排出する意味で法面保護に必要とされている。
【００３４】
さて、図１及び図２に示す溝蓋（１）は、金属製の板材からなり、中央長手方向の稜線（７）を境に、上流側の斜面（２）と下流側の斜面（３）が形成されていることから、蓋の横断面は、山型をしており、その山裾の両端は、水平に折曲られた水平フラップ（１０）と、垂直な向きに折り曲げられた垂直フラップ（１１）が交互に備わっている。そして、上流側の斜面（２）は、その下段側２段に複数の小鱗片（４）が斜面から表向きに水平な高さまで起き上がっており、庇のようになっており、庇下の開口（５）が大きく口を開け、その開口（５）の上部に突き出した小鱗片（１１）によって立体的な開口部となっている。そして、上流側の斜面（２)の上段には多数の貫通小孔（８）が４段、間隔を開けて配され、下流側の斜面（３）には多数の貫通小孔（８）が９段にわたって、間隔を開けて配されている。なお、図１及び図５に示すように、貫通小孔（８）は、１段飛ばしで上下の位置が重なるようになっており、隣同士の段では、開口位置が重ならないようにずらしてある。
【００３５】
この溝蓋のサイズは、水路の幅などで異なってくるが、たとえば、水路の溝幅が３０ｃｍのものであれば、溝蓋（１）はその全幅が４０ｃｍ、全長が９０ｃｍであり、内幅が２９ｃｍ、山の全高が５．５ｃｍである。そして、側溝側壁内面（１６）に嵌め合わせるための垂直フラップ（１１）の折り曲げ幅は、横幅１０ｃｍ、切れ込み深さが５．５ｃｍである。同様に側溝側壁上端（１５）の上に載置する水平フラップ（１０）は横幅１４ｃｍ、切れ込み深さが５．５ｃｍである。水平フラップ（１０）４枚と垂直フラップ（１５）３枚は交互に設けられており、左右のフラップとも、水平、垂直の順は揃えられている。つまりフラップ同士の間には、６ｍｍ程度の幅の切れ込みがある。次に、上流側の斜面（２）の下段２段の小鱗片（１１）は、そのうち上段が１４枚、下段が１３枚の小鱗片を備えており、その１枚のサイズは、幅３ｃｍ、切れ込み深さは２ｃｍである。そして、貫通小孔（８）は、直径が１．５ｃｍで、１列１６個ある段と、一列１５個ある段とが交互に繰り返されている。
【００３６】
この溝蓋（１）は、図９に示すように、１．５ｍｍ厚のステンレス板を、型抜きで貫通小孔（８）を開口させ、小鱗片（４）のためのＵ字状切開部（６）も同様に型抜きで貫通させて設け、また、水平フラップと垂直フラップの間の幅６ｍｍ奥行き５．５ｃｍの切れ込み（９）も、同様に平板（１２）の状態で打ち抜いておく。
【００３７】
そして、図９に示す平板（１２）は、その中央長手方向に山折りに曲げ加工をして、中央長手方向の稜線（７）を形成させて、中央を山型に高く形成し、上流側の斜面（２）の小鱗片（４）を庇のように水平になるまで起こし、庇下の開口（５）を形成する。また、長手方向両側の切れ込み（９）は、フラップを１枚を垂直まで山折りにすることで垂直フラップ（１１）とし、隣のフラップを水平まで谷折りにして水平フラップ（１０）とする。このような曲げ加工のみで、図１に示す溝蓋（１）を簡単に繰り返し得ることができる。
【００３８】
さて、溝蓋（１）を法面（１９）の犬走り（２０）のＵ型側溝（１３）に設置したとき、図６（ｂ）に示すように、降雨があると、上流側の斜面からの雨水が、まずは庇下の開口（５）からＵ型側溝（１３）内に入っていくこととなる。その際、落ち葉（１８）などがあっても、図３、に示すように、前方に水平に突き出た小鱗片（４）にひっかかって、開口（５）を閉塞することがないので、通水が確保されることとなる。また、小鱗片（４）に落ち葉はひっかかったままとなるので、上流側の斜面（２）を乗り越えていくこともない。図６（ｃ）に示すように、雨水の流入量が局所的豪雨などで増した場合には、上流側の斜面（２）に雨水が貫通小孔（８）にも達し、そこから、水路へと滴下することとなる。上段側の斜面のみならず、下流側の斜面（３)に開口した貫通小孔（８）からも排水されることとなる。しかし、落ち葉（１８）は小鱗片（４）付近にトラップされるので、貫通小孔（８）は閉塞されにくいものとなっている。
【００３９】
さらに、Ｕ型側溝（１３）に溝蓋（１）を載置する際には、Ｕ型側溝（１３）の側溝側壁内面（１６）に垂直フラップ（１１）が沿うように嵌まり込むので、落ち葉などが溜まっても荷重によって下流側に流されることなく、溝蓋（１）はＵ型側溝（１３）の上に適切にとどまることができる。そこで、溝蓋（１）の周囲に押し寄せる大量の雨水を一時的に滞留させつつも、閉塞しないことから、それらの雨水を下流法面に不用意に溢れさせることなく、溝蓋（１）から水路内へと順次排水していくことができる。
【符号の説明】
【００４０】
１  溝蓋
２  上流側の斜面
３  下流側の斜面
４  小鱗片
５  庇下の開口
６  Ｕ字状切開部
７  中央長手方向の稜線
８  貫通小孔
９  切れ込み
１０  水平フラップ
１１  垂直フラップ
１２  平板
１３  Ｕ型側溝
１４  側溝側壁
１５  側溝側壁上端
１６  側溝側壁内面
１７  雨水
１８  落ち葉
１９  法面
２０  犬走り
２１  車道
【図１】
0006306094.tif 000002
【図２】
0006306094.tif 000003
【図３】
0006306094.tif 000004
【図４】
0006306094.tif 000005
【図５】
0006306094.tif 000006
【図６】
0006306094.tif 000007
【図７】
0006306094.tif 000008
【図８】
0006306094.tif 000009
【図９】
0006306094.tif 000010